(57)【特許請求の範囲】
【請求項１】
長尺部材の長手方向における一端部から一定長さ単位の間隔ごとに、目盛線が示してあり、前記一端部を頭皮にあてがうことで、前記目盛線に基づき頭髪の長さ測定が行えるようにしてある頭髪測定具において、
前記一端部を頭皮にあてがうと、前記長尺部材の幅方向の両方の端部が頭皮と接触するように、前記一端部に窪みが形成してあり、
前記長尺部材の幅方向の中間位置を通る中心線が示してあり、
前記中心線の前記窪みの側の一端を中心にして放射状に延出する複数の角度線が示してあり、
前記一端部を頭皮にあてがうことで、前記長さ測定と共に、前記複数の角度線に基づき頭髪の方向測定が行えるようにしてあることを特徴とする頭髪測定具。
【請求項２】
前記一端部に、複数の櫛歯を有する櫛部が設けてある請求項１に記載の頭髪測定具。
【請求項３】
前記長尺部材の長手方向に沿った周縁部に補助窪みが形成してあり、
前記補助窪みが形成された周縁部における角度を示す補助角度線が、前記長尺部材に示してあり、
前記補助窪みが形成された周縁部を頭皮にあてがうことで、前記補助角度線に基づき頭髪の方向測定が行えるようにしてある請求項１又は請求項２に記載の頭髪測定具。
【請求項４】
前記窪みは、湾曲形状にしてあり、
前記目盛線は、前記窪みの湾曲形状に応じた湾曲線にしてある請求項１乃至請求項３のいずれか１項に記載の頭髪測定具。
【請求項５】
前記目盛線に応じた箇所に、溝部が形成してあり、
前記溝部に、理美容用鋏の峰部を係止して理美容用鋏を位置決めできるようにしてある請求項１乃至請求項４のいずれか１項に記載の頭髪測定具。
【請求項６】
前記溝部は、前記長尺部材の全周にわたって形成してある請求項５に記載の頭髪測定具。
【請求項７】
前記長尺部材は、長板状の部材を長手方向に沿って折り重ねて形成してあると共に、折り重ねに係る辺部で開閉可能にしてある請求項１乃至請求項６のいずれか１項に記載の頭髪測定具。
【発明の詳細な説明】
【技術分野】
【０００１】
本発明は、頭髪の長さ測定又は角度測定を客観的な指標に基づき行えると共に、所望の長さで頭髪を正確にカットできるようにした頭髪測定具に関する。
【背景技術】
【０００２】
従来、理容室又は美容院等で頭髪をカットする場合において、髪の毛の長さを測定するような道具、器具等は使われておらず、経験値又は目分量等でカットすることが通常であり、そのためカット前に所望していた髪の毛の長さと、カット後の実際の長さに相違が生じることが多々あった。【０００３】
一方、理容学校や美容学校での実技指導、又は理容・美容の実技検定等では、指定された長さとなるように頭髪をカットする指示が出されることがある。カット長は、頭皮から髪の毛を引き出す角度により変わるので、頭皮に対して、どのような角度で髪の毛を取って、カットを行うかは非常に重要な事項となる。しかし、髪の毛の長さや方向（角度）を測定する適切な道具、器具等が現状では存在しないことから、実技指導又は検定等で同じ内容のカット指示が出ても、実技又は検定等を受ける各人ごとにカット後の頭髪の長さにバラツキが生じやすくなり、さらには、実技又は検定結果等を測定する側も、カット後の髪の毛の長さ及び角度を客観的に測定することが困難になっていた。【０００４】
なお、下記の特許文献１では、前髪をカットする際の目安を示す前髪カット補助具を開示する。また、下記の特許文献２の第３図では、頭髪の部位ごとに指定高さでカットを行えるようにしたものを開示する。さらに、下記の特許文献３の図５〜１５には、ワイヤ状の部材を組み合わせて頭部に装着できるようにしたヘアカット用補助具を開示する。なお、文具の定規的なものとしては、下記の特許文献４、５が開示するようなものがある。
【先行技術文献】
【特許文献】
【０００５】
【特許文献１】特開２００７−２９６９７号公報
【特許文献２】実開昭５９−９８８０５号公報
【特許文献３】特開２００５−３１２９２０号公報
【特許文献４】実開平７−４０１６４号公報
【特許文献５】登録実用新案第３１４５５２２号公報
【発明の概要】
【発明が解決しようとする課題】
【０００６】
上記の特許文献１に係る前髪カット補助具は、前髪カット用のものなので、前髪以外の箇所には適用できない。また、前髪カット補助具は、前髪カットラインに合わせて鋏で前髪をカットするだけなので、カット用鋏に対する位置決めは、カットを行うユーザ自身の力量に依存するので、カット長の精度は、ユーザの技量に左右されるという問題がある。さらに、特許文献２又は３に係るものは、頭部全体を覆う大がかりなものであるため、測定を行うにも時間がかかり、様々な長さでカットを正確且つ容易に行うには不適である。そして、上述した特許文献１〜３にかかるものは、頭髪の角度（方向）測定は行えないという問題がある。【０００７】
一方、特許文献４又は５に係るものは、そもそも文具的な用途に応じたものであり、縁部に形成された凹凸は、部材端部からの正確な距離に合わせて設けられたものでもないので、これらの凹凸を鋏に対する位置決めに利用して正確な長さで毛髪をカットする用途に転用できないという問題がある。特に、文房具的な定規は、定規端部が直線の辺部になっており、一方、頭髪が生えている頭皮は曲面であることから、仮に、定規で頭髪の長さ測定を行おうとして、直線の辺部を頭皮にあてがったとしても、両者は一点で接する状態となり、定規の姿勢（方向）がグラグラ（揺動）して定まりにくく、正確な長さ測定を容易に行えないという問題がある。【０００８】
本発明は、斯かる事情に鑑みてなされたものであり、測定を行う長尺部材の頭皮にあてがう周縁部に窪みを形成し、その窪みを形成した周縁部に対して長さ測定に係る目盛線又はカット方向に係る角度線の少なくとも一方を設けることにより、頭皮にあてがった際に二点接触となる状態を確保し、容易に且つ正確に、様々な部位の頭髪に対する測定を行えるようにした頭髪測定具を提供することを目的とする。
また、本発明は、理美容用鋏の位置決め用の溝部を目盛線に応じた箇所に設けることにより、測定した正確な長さで頭髪をカットできるようにした頭髪測定具を提供することを目的とする。
【課題を解決するための手段】
【０００９】
上記課題を解決するために本発明に係る頭髪測定具は、長尺部材の周縁部の少なくとも一部に窪みが形成してあり、前記窪みが形成された周縁部からの距離を示す目盛線、又は前記窪みが形成された周縁部における角度を示す角度線の少なくとも一方が、前記長尺部材に示してあり、前記窪みが形成された周縁部を頭皮にあてがうことで、前記目盛線に基づく頭髪の長さ測定、又は前記角度線に基づく頭髪の方向測定の少なくとも一方が行えるようにしてあることを特徴とする。
本発明にあっては、頭皮へあてがう周縁部に窪みを形成したので、頭髪測定具の頭皮へ安定して突き当てた状態を維持できるようになる。すなわち、曲面の頭皮に対して窪みを形成した周縁部をあてがうと、窪みは凹形状であることから頭皮と接触しないので、窪みを挟んだ両側となる箇所で頭皮と二点接触することになる。そのため、頭皮へあてがった状態の頭髪測定具の姿勢が安定し、様々な部位において頭髪の長さ測定、又は頭髪の方向測定（角度）を、容易且つ正確に行えるようになる。【００１０】
また、本発明にあっては、頭皮へあてがう一端部に窪みを形成したので、二点接触の状態を確保して、頭髪測定具の頭皮へ安定して突き当てた状態を維持できるようになる。そのため、頭皮へあてがった状態の頭髪測定具の姿勢が安定し、様々な部位において頭髪の長さ測定を、容易且つ正確に行えるようになる。【００１１】
さらに、本発明にあっては、一端部を長手方向に対して斜めとなるように形成したので、頭髪測定具を頭皮へあてがった（突き当てた）状態では、曲面である頭皮の各箇所に対して、頭髪測定具は一端部の斜めの角度に応じた法線的な方向へ立った姿勢となり、ユーザの方向感覚にマッチした使用状況を提供できるようになる。【００１２】
さらにまた、本発明にあっては、窪みを形成した一端部において角度線を示すようにしたので、安定した状態で頭皮に突き当てた姿勢を指示できる頭髪測定具で、正確且つ容易に、頭髪の方向測定も行えるようになる。【００１３】
そして、本発明にあっては、一端部に櫛部を設けたので、櫛部で頭髪をかき分けて一端部を頭皮へあてがいやすくなる。そのため、毛髪量の多い場合や長髪の場合などのように、頭髪測定具が髪の毛に遮られて頭皮へ一端部が届きにくいようなときでも、櫛部により髪の毛を分けて、一端部を確実に頭皮へあてがう（突き当てる）ことができる。【００１４】
加えて、本発明にあっては、長手方向に沿った周縁部に補助窪みを形成すると共に、その周縁部に補助角度線を設けたので、補助窪みを形成した周辺部を頭皮にあてがって、頭髪のカット方向の測定が行えるようになる。すなわち、補助窪みを形成した周辺部を頭皮にあてがう場合は、頭皮に対して頭髪測定具を立てた状態ではなく、頭髪測定具を横にした状態となり、長手方向を幅広く方向測定に使えることから、広範囲での角度測定を行いやすくなる。【００１５】
また、本発明にあっては、窪みを湾曲形状にすると共に、目盛線を、その湾曲形状に応じた湾曲線にしたことにより、湾曲した頭皮とマッチするよるに頭髪の長さ測定を行える。すなわち、一定量の頭髪束（毛髪パネル）を見ると、その先端は一般に頭皮の湾曲形状に応じて湾曲形状に揃えられるので、目盛線も湾曲線にすることで、所望する正確な長さで自然な感じの整髪を行えるようになる。【００１６】
さらに、本発明にあっては、目盛線に合わして、理美容用鋏の峰部を係止できる溝部が形成してあるので、上記のように一端部を頭皮に突き当てた状態にして、カットしたい長さに応じた溝部で理美容用鋏の峰部を位置決めすれば、所望長さで正確にカットできるようになる【００１７】
さらにまた、本発明にあっては溝部が、長尺部材の全周にわたって形成してあるので、頭髪測定具の全周のあらゆる方向において、理美容用鋏の峰部を位置決めできるようになり、ユーザの作業しやすい方向から、正確な長さのカットを行えるようになる。【００１８】
そして、本発明にあっては、頭髪（毛髪束）の目盛線による長さ測定を行う際、測定対象の毛髪束を頭髪測定具に載せて（当てて）行う場合が多くなることが予想されるが、測定対象の毛髪束等が頭髪測定具から抜け落ちる場合も想定して、頭髪測定具を構成する部材を、幅方向で湾曲するように弾性変形可能な材質で形成することにより、測定対象の毛髪束を幅方向で囲うように湾曲した状態に頭髪カット補助部をユーザの握力で変形すれば、毛髪束が落ちににくくなり、長さ測定もスムーズに行えるようになる。【００１９】
また、本発明にあっては、頭髪測定具を構成する部材を、折り重ねた長板状の部材を開閉可能にしたものであることから、開いた状態にすると一端部の端辺の形状がＶ字状となり、一端部を頭皮へあてがった状態で、頭皮に接触する箇所が三点となり、三点接触により一段と安定した測定が可能となる状況を提供できるようになる。さらには、開いた状態の中に測定対象の毛髪束が収まるように配置すれば、毛髪束も落ちにくくなり、長さ測定をスムーズに行えるようになる。
【発明の効果】
【００２０】
本発明にあっては、頭皮へあてがう周縁部に窪みを形成したので、頭皮へあてがった状態の頭髪測定具の姿勢を安定させることができ、様々な部位において頭髪の長さ測定、又は頭髪の方向測定を容易且つ正確に行える。
また、本発明にあっては、頭皮へあてがう一端部に窪みを形成したので、二点接触の状態を確保して、頭髪測定具の頭皮へ安定して突き当てた状態を維持でき、様々な部位において頭髪の長さ測定を容易且つ正確に行える。【００２１】
本発明にあっては、一端部を長手方向に対して斜めとなるように形成したので、頭髪測定具を頭皮へあてがった状態において、曲面である頭皮の各箇所に対し、頭髪測定具を一端部の斜め角度に応じた所定の方向へ立った姿勢にでき、ユーザの方向感覚にマッチした使用状況を提供できる。
本発明にあっては、窪みを形成した一端部に角度線を示すようにしたので、正確且つ容易に頭髪の方向測定も行える。
本発明にあっては、一端部に櫛部を設けたので、頭髪測定具が頭髪に遮られて頭皮へ一端部が届きにくいようなときでも、櫛部により髪の毛を分けて、一端部を確実に頭皮へあてがう（突き当てる）ことができる。【００２２】
本発明にあっては、長手方向に沿った周縁部に補助窪みを形成すると共に、その周縁部に補助角度線を設けたので、広範囲での角度測定を容易に安定して行える。
本発明にあっては、窪みを湾曲形状にすると共に、目盛線を、その湾曲形状に応じた湾曲線にしたので、頭皮の曲面に応じたかたちで、頭髪の長さ測定を行える。【００２３】
本発明にあっては、目盛線に合わして、理美容用鋏の峰部を係止できる溝部を形成したので、所望長さでのカットを正確に行える。
本発明にあっては、溝部を長尺部材の全周にわたって形成したので、ユーザにとってカット作業を行いやすい方向から、正確な長さでのカットを行える。【００２４】
本発明にあっては、頭髪測定具の構成部材として、幅方向で湾曲するように弾性変形可能な材質を用いたので、測定対象の毛髪束を幅方向で囲うように湾曲した状態に頭髪カット補助部をユーザの握力で変形すれば、測定時の毛髪束の抜け落ちを防止でき、長さ測定をスムーズに行える。
本発明にあっては、頭髪測定具を構成する部材を、折り重ねた長板状の部材を開閉可能にしたので、開いた状態にすれば、頭皮との三点接触により一段と安定した測定を行えると共に、測定時の毛髪束の抜け落ちも確実に防止でき、スムーズな長さ測定を行える。
【図面の簡単な説明】
【００２５】
【図１】本発明の実施形態に係る頭髪測定具の概略斜視図である。
【図２】（ａ）は一端部付近を示す平面図、（ｂ）は一端部付近を示す側面図、（ｃ）は他端部付近を示す平面図である。
【図３】（ａ）は溝部の拡大図、（ｂ）は一般的な理美容用鋏を示す概略図、（ｃ）は理美容用鋏の刃部背側の峰部を溝部で係止した状態を示す概略図である。
【図４】（ａ）は頭髪測定具を頭皮へ突き当てた状態を示す頭部側方からの概略的な視図であり、（ｂ）は頭髪測定具を頭皮へ突き当てた状態を示す頭部前方からの概略的な視図である。
【図５】頭髪測定具を頭皮へ突き当てた状態を示す頭部上方からの概略的な視図である。
【図６】（ａ）（ｂ）は、頭髪測定具を頭皮へ突き当てた状態を示す一端部付近の拡大概略図である。
【図７】（ａ）は頭髪測定具で毛髪束の長さを測定している状態を示す概略図、（ｂ）は頭髪測定具を用いて理美容用鋏の位置決めを行い、毛髪束のカットを行っている状態を示す概略図である。
【図８】（ａ）は第１変形例に係る頭髪測定具の要部を示す平面図であり、（ｂ）は第２変形例に係る頭髪測定具の要部を示す側面図である。
【図９】（ａ）は第３変形例に係る頭髪測定具の一端部付近を示す平面図、（ｂ）は第３変形例に係る頭髪測定具の他端部付近を示す平面図、（ｃ）は第４変形例に係る頭髪測定具の一端部付近を示す平面図である。
【図１０】第５変形例に係る頭髪補助具であり、（ａ）は一端部付近を示す平面図、（ｂ）は頭髪をかき分けて頭皮に突き当てた状態を示す概略斜視図である。
【図１１】（ａ）は第６変形例に係る頭髪測定具の一端部付近を示す平面図、（ｂ）は第７変形例に係る頭髪測定具の一端部付近を示す平面図、（ｃ）は第７変形例に係る頭髪測定具の他端部付近を示す平面図である。
【図１２】（ａ）は第７変形例に係る頭髪測定具を頭皮へ突き当てた状態を示す頭部側方からの概略的な視図であり、（ｂ）は第７変形例に係る頭髪測定具を頭皮へ突き当てた状態を示す頭部前方からの概略的な視図である。
【図１３】第８変形例に係る頭髪測定具であり、（ａ）は幅方向に湾曲させた状態を示す概略斜視図、（ｂ）はフラットな状態から湾曲させた状態への変化を示す一端部の端面方向からの概略視図、（ｃ）は毛髪束を載せた状態を示す一端部の端面方向からの概略視図である。
【図１４】第９変形例に係る頭髪測定具であり、（ａ）は開いた状態を示す概略斜視図、（ｂ）は閉じた状態を示す側面図、（ｃ）は（ｂ）のＢ−Ｂ線における閉じた状態から開いた状態への変化を示す断面図である。
【図１５】第９変形例に係る頭髪測定具を頭皮に突き当てた状態を示す概略斜視図である。
【図１６】第１０変形例に係る頭髪測定具であり、（ａ）は一端部付近を示す平面図、（ｂ）は他端部付近を示す平面図である。
【図１７】第１１変形例に係る頭髪測定具を一表面から示したものであり、（ａ）は一端部付近を示す平面図、（ｂ）は他端部付近を示す平面図であり、（ｃ）は一端部の傾き具合を示す概略平面図である。
【図１８】第１１変形例に係る頭髪測定具を他表面から示したものであり、（ａ）は一端部付近を示す平面図、（ｂ）は他端部付近を示す平面図であり、（ｃ）は他端部の傾き具合を示す概略平面図である。
【図１９】第１１変形例に係る頭髪測定具であり、（ａ）は両端部間における一表面の角度線を示す平面図、（ｂ）は両端部間における他表面の角度線を示す平面図である。
【図２０】（ａ）は第１１変形例に係る頭髪測定具を頭皮へ突き当てた状態を示す頭部側方からの概略的な視図であり、（ｂ）は第１１変形例に係る頭髪測定具を頭皮へ突き当てた状態を示す頭部前方からの概略的な視図である。
【図２１】（ａ）は第１１変形例に係る頭髪測定具の一端部を頭皮へ突き当てた状態を示す頭部上方からの概略的な視図であり、（ｂ）は第１１変形例に係る頭髪測定具の他端部を頭皮へ突き当てた状態を示す頭部上方からの概略的な図である。
【図２２】第１２変形例に係る頭髪測定具であり、（ａ）は一表面を示す平面図、（ｂ）は他表面を示す平面図である。
【図２３】第１２変形例に係る頭髪測定具の補助窪み部を頭皮へあてがった状態を示すものであり、（ａ）は頭部側方からの概略的な視図、（ｂ）は頭部前方からの概略的な視図である。
【図２４】第１２変形例に係る頭髪測定具であり、（ａ）は第１２変形例に係る頭髪測定具の補助窪み部を頭皮へあてがった状態を示す頭部上方からの概略的な視図、（ｂ）は頭皮へあてがった状態の補助窪み部付近の拡大概略図である。
【発明を実施するための形態】
【００２６】
図１は、本発明の実施形態に係る頭髪測定具１の全体を概略的に示す斜視図である。頭髪測定具１は、図４、５に示すように、毛髪（頭髪）を有する頭部の頭皮にあてがって使用するものであり、頭髪に係る毛髪または毛髪束（毛髪パネル）の正確な長さ測定、及び長さ測定における毛髪を伸ばす方向（毛髪を取る方向）の測定、及び意図した正確な長さでカットを行えるようにしたものである。
【００２７】
図１に示すように、本実施形態に係る頭髪測定具１は、平らな長板状の合成樹脂製の長尺部材２により構成されたものであり、全体的な外観は、文房具である一般的な定規と似たものになっている。異なる点としては、頭髪測定具１を構成する長尺部材２の一端部２ａ（周縁部の一部に該当）に、幅方向の中央部分で最も凹となるように湾曲形状の窪み（窪み部３）を形成したこと、その窪み部３の湾曲形状に合わせて一端部からの所定長さ単位の間隔で目盛線６が一表面２ｅに示してあること、各目盛線６に応じた両側面２ｃ、２ｄの箇所に溝部４が形成してあること等がある。なお、図１中に示すＸ軸方向は頭髪測定具１の長手方向に沿った方向であり、Ｙ軸方向は頭髪測定具１の長手方向に直交する幅方向に沿った方向であり、Ｚ軸方向は頭髪測定具１の高さ方向（長手方向及び幅方向の両方に直交する方向。頭髪測定具１の厚み方向）に沿った方向である（他の図でも同様）。以下、頭髪測定具１について詳しく説明する。
【００２８】
本実施形態の頭髪測定具１は、長手方向（Ｘ軸方向）の寸法が約３６０ｍｍであり、幅方向（Ｙ軸方向）の寸法を５０ｍｍにしている（図１では長さ方向の途中を破断して、頭髪測定具１を示している）。頭髪測定具１の寸法は、上述した数値（長さ寸法３６０ｍｍ、幅寸法５０ｍｍ）に限定されるものではないが、毛髪束の長さ測定時に、毛髪束を頭髪測定具１に載せて測定する場合に配慮すると、幅寸法は約２０ｍｍ以上を確保することが好適である。さらに、毛髪束の載せやすさを確保した上で頭髪測定具１の使いやすさ（持ちやすさ）を考慮すると、長さ寸法と幅寸法との比率は、幅寸法の割合を「１」にすると、長さ寸法：幅寸法＝「約１０〜約５」：「１」という範囲内の比率にすることが好適となる。
【００２９】
なお、頭髪測定具１の材質は、合成樹脂に限定されるものではなく、例えば、天然素材である木材、竹等も適用できる。また、頭髪測定具１は、板厚として約約０．５ｍｍ〜約５ｍｍ程度の範囲である長尺部材２を適用できるが、持ちやすさ、および所要の剛性を確保するという点などを考慮すると、板厚としては約１〜２ｍｍ程度が好適である。
【００３０】
図２（ａ）に示すように、一端部２ａの端面は、上述したように窪み部３が形成されている。この窪み部３は、一般的な人体の頭部における最も小さな曲率箇所より若干小さめの曲率にしている（例えば、Ｒ１００〜１２０ｍｍ程度）。
【００３１】
また、頭髪測定具１は一表面２ｅに、一端部２ａから１０ｍｍ単位の間隔ごとに実線（約０．６ｍｍの太さ）である目盛線６をそれぞれ示している（一表面２ｅに付加している）。これらの目盛線６は、窪み部３と同じ曲率で湾曲した湾曲線になっている。また、頭髪測定具１は、一端部２ａから最初の目盛線６との中間となる箇所、および２番目以降の各目盛線６の中間となる箇所に、波線である中間目盛線７をそれぞれ示しており、これらの中間目盛線７も、目盛線６と同様の湾曲線にしている。さらに、一端部２ａから１ｍｍ単位ごとの箇所（目盛線６および中間目盛線７を除いた箇所）には、各目盛線６より細線の１ｍｍ目盛線を示している（１ｍｍ目盛線も、目盛線６および中間目盛線７と同様に湾曲線になっている）。このように各目盛線６、７等を窪み部３に対して同じ曲率で湾曲させることで、毛髪束が自然な感じで湾曲した毛先となるように測定を行える。なお、図２（ａ）（ｃ）以外の他の図では、図示内容が煩雑になることを避けるため、１ｍｍ目盛線の図示を省略している（図４、５等では、中間目盛線７の図示も省略している）。また、１ｍｍ目盛線は、１０ｍｍ単位の範囲内で線の太さを変えており、一端部２ａに近い方の１ｍｍ目盛線が最も細く、一端部２ａから離れるにつれて、各１ｍｍ目盛線を太くしている。例えば、最も一端部２ａ寄りの１ｍｍ目盛線の線太さを０．２０ｍｍ、２番目の１ｍｍ目盛線を０．２２ｍｍ、３番目の１ｍｍ目盛線を０．２４ｍｍ、４番目の１ｍｍ目盛線を０．２６ｍｍ、６番目の１ｍｍ目盛線を０．２８ｍｍ、７番目の１ｍｍ目盛線を０．３０ｍｍ、８番目の１ｍｍ目盛線を０．３２ｍｍ、９番目の１ｍｍ目盛線を０．３４ｍｍにしている（５番目の目盛線は上述した波線になる）。このように、各１ｍｍ目盛線の線太さをかえることで、各１ｍｍ目盛線を見極め易くしている。なお、上記とは逆に、一端部２ａに近い方の１ｍｍ目盛線が最も太く、一端部２ａから離れるにつれて細くすることも可能である。
【００３２】
頭髪測定具１は、一表面２ｅにおいて、上述した目盛線６ごとに、一端部２ａからの長さ寸法を表す数値を示している（例えば、一端部２ａから１番目の目盛線６には１０ｍｍの寸法を表す数値である「１０」を示し、一端部２ａから２番目の目盛線６には２０ｍｍの寸法を表す数値の「２０」を示す）。さらに、頭髪測定具１は、一表面２ｅにおいて、上述した中間目盛線７ごとにも、一端部２ａからの長さ寸法を表す数値を示している（例えば、一端部２ａから１番目の中間目盛線７には５ｍｍの寸法を表す「５」を示し、一端部２ａから２番目の中間目盛線７には１５ｍｍの寸法を表す「１５」を示している）。なお、頭髪測定具１は、一端部２ａ側の一表面２ｅに、一端部２ａの方を指し示す白矢印９を計三箇所に示している。
【００３３】
さらに、頭髪測定具１は、両方の側面２ｃ、２ｄに「Ｖ字」状の溝部４を形成している。各溝部４は丁度、目盛線６に応じた箇所に合わして形成されている。図３（ａ）は、一方の側面２ｄに形成された溝部４の拡大図であり、本実施形態の溝部４は、溝入口の両端４ｂ、４ｃに至る溝幅Ｗ（開口幅）を約２ｍｍにすると共に、側面２ｄから底頂部４ａへの溝深さＤを約１．５ｍｍにしている。このような構造にすることで、理美容用鋏の刃部の背側となる峰部を溝部４に係止する（引っ掛ける）ことを可能にしている。
【００３４】
図３（ｂ）は一般的な理美容用鋏Ｓを示している。理美容用鋏Ｓは、動刃となる部材と、静刃となる部材（指を通すリングに、指を引っかけるフックを突出した方の部材）とを重ね合わせてネジで回動自在に連結したものであり、動刃となる部材及び静刃となる部材のそれぞれは、連結箇所より先端側に刃部を設けている。
【００３５】
すなわち、静刃となる部材は、連結箇所より先端側を刃部Ｓａとしており、刃部Ｓａは、動刃と向き合う側を刃先部Ｓｂにすると共に、その反対側となる刃部Ｓａの背側を峰部Ｓｃにしている。刃先部Ｓｂは、図３（ｃ）に示すように、断面形状が先細の楔形であり、峰部Ｓｃは静刃となる部材の厚みと同等になっている。なお、図３（ｃ）の刃部Ｓａは、図３（ｂ）におけるＡ−Ａ線の断面を示しており、その断面は、動刃と擦れ合う側に少しスキを設けた刃裏面になっている。このような刃部Ｓａの峰部Ｓｃは、角（エッジ）を有するものになっており、その峰部Ｓｃを上述した頭髪測定具１の溝部４にあてがうと、峰部Ｓｃの角（エッジ）が丁度、溝部４の内部に収まり係止された状態となり、それにより理美容用鋏Ｓの刃部Ｓａを位置決めできる（図３（ｃ）、図７（ｂ）参照）。
【００３６】
また、図２（ｂ）は頭髪測定具１の一方の側面２ｃからの視図であり、側面２ｃには、複数の溝部４が切り込みのように存在すると共に、その溝部４の底頂部４ａに目盛線６が一致して、１０ｍｍ単位の位置を側面２ｃにおいても確認できるようになっている。また、波線の中間目盛線７も側面２ｃに回り込んで示されている。なお、頭髪測定具１の他方の側面２ｄも、図２（ｂ）に示す一方の側面２ｃと同様に構成されている。
【００３７】
図２（ｃ）は、頭髪測定具１の他端部２ｂ付近を拡大した平面図である。他端部２ｂの端面は、上述した一端部２ｂの窪み部３が、そのままＸ軸方向へシフトしたような突状窪み部８になっており、幅方向の中央部分８ａが最も外方へ突出し、幅方向の両端８ｂ、８ｃが中央部分８ａより奥まって位置する。なお、他端部２ｂの一表面２ｅにおいても上述した図２（ａ）と同様の構成になっており、一表面２ｅには目盛線６、中間目盛線７、および１ｍｍ目盛線等が示されると共に、両方の側面２ｃ、２ｄには各目盛線６の位置に合わせて溝部４が形成されている。
【００３８】
また、頭髪測定具１は、一表面２ｅの反対側（裏側）となる他表面２ｆについては、図２（ａ）（ｃ）に示す構成と同様にしている。それにより、頭髪測定具１は、目盛線６および中間目盛線７を長尺部材２の全周にわたって示すようにしており、その結果、頭髪測定具１のいずれの方向からも、ユーザは目盛線６および中間目盛線７を確認でき、毛髪（毛髪束）の測定を行えるようにしている。
【００３９】
図４（ａ）（ｂ）および図５は、上述した頭髪測定具１の使用状況を示し、これらの使用状況では、カット対象として、カット練習等に用いられる人頭模型（通常「ウィッグ」と称される。）を用いた例を図示しているが、人体の頭部への使用状況も同様となる。この人頭模型Ｈは、人頭を模した頭部全体に毛髪を植設したものである（なお、図４（ａ）（ｂ）及び図５等では、使用状況のポイントを明確にするため、頭部に植設された毛髪全体の図示を省略しており、必要箇所のみの毛髪を示す）。
【００４０】
図４（ａ）は、人頭模型Ｈの側方からの視図であり、頭髪測定具１の一表面２ｅを人頭模型Ｈの側方と同方向の向きに合わせて測定する場合を示している。測定においては、測定対象となる１０〜５０ｍｍ程度の幅の毛髪束（毛髪パネル）ｈ１、ｈ２、ｈ３等を頭部から摘み取り、それらの毛髪束ｈ１、ｈ２、ｈ３等を頭髪測定具１を用いて測定する。例えば、図４（ａ）に示すように、後頭部の上方寄りに位置する毛髪束ｈ３を測定する場合、頭部から摘み取った毛髪束ｈ３を頭皮Ｈａより立ち上げ、その毛髪束ｈ３を頭髪測定具１の一表面２ａに当てる。その際、頭髪測定具１の一端部２ａを人頭模型Ｈにおける毛髪束ｈ３の根元箇所となる頭皮Ｈａへあてがう（突き当てる）。
【００４１】
図６（ａ）は、頭髪測定具１の一端部２ａを後頭部付近の頭皮Ｈａへ突き当てた状態を示している（図４（ａ）の毛髪束ｈ３０を測定する場合に応じた図）。頭髪測定具１の一端部２ａには、上述した構成の窪み部３が形成されているので、一端部２ａを頭皮Ｈａに突き当てると、窪み部３の幅方向における両方の端部３ｂ、３ｃが頭皮Ｈａに接触することになる。すなわち、窪み部３は、その曲率を一般的な人体の頭部における最も小さな曲率箇所より若干小さめにしており、また、人頭模型Ｈの毛髪束ｈ３の植設箇所は、平面に近い曲率であるため、窪み部３の中央付近では、頭皮Ｈａと隙間が生じて、両方の端部３ｂ、３ｃのみが頭皮Ｈａと接触した状態になっている。そのため、頭髪測定具１を頭皮Ｈａへ突き当てると、頭皮Ｈａに対しては両方の端部３ｂ、３ｃによる二点接触となり、図６（ａ）中に示した白矢印方向（左右方向）へ頭髪測定具１が振れることなく、安定した姿勢を維持することができる（白矢印方向にブレない）。
【００４２】
また、図７（ａ）は、頭髪測定具１による毛髪束ｈ３の長さ測定の状況を示している。測定においては、頭髪測定具１の一表面２ｅに合わせた毛髪束ｈ３の長さを、一表面２ｅに示される目盛線６、中間目盛線７（または上述した１ｍｍ目盛線）により測定する。なお、毛髪束ｈ３のように一定の束量を測定する場合は、毛髪一本単位で測定するのではなく、全体的な平均値で測定を行うことが好適である。このような測定を行う際、頭髪測定具１は、図６（ａ）で説明したように、一端部２ａを頭皮Ｈａへ突き当てていれば、左右方向に振れることはないので、安定した測定を行えると共に、各目盛線６、７等と測定対象の毛髪を対比することで、長さの測定を正確に行える。さらに、各目盛線６、７等は湾曲線となっているため、毛先を曲線的に測定でき、毛先が頭皮Ｈａの曲面にあわせた自然な感じで湾曲的に揃ったようにカットしやすくなる。
【００４３】
なお、図４（ａ）に示す他の毛髪束ｈ１、ｈ２等も、上述した毛髪束ｈ３と同様に測定することが可能である。また、毛髪の測定は、上述したように毛髪束（毛髪パネル）で行う以外に、１本、２本等の本単位で行うことも勿論可能であり、このような本単位での測定においては、本発明に係る頭髪測定具１を用いることで、自然脱毛、切れ毛、未植毛部等の存在を明らかにすることに利用できる。
【００４４】
図４（ｂ）は、人頭模型Ｈの前方からの視図であり、頭髪測定具１の一表面２ｅを人頭模型Ｈの前方となる向きに合わせて測定する場合を示している。この測定においても、測定対象となる毛髪束ｈ１０、ｈ１１、ｈ１２等を頭部から摘み取り、それらの毛髪束ｈ１０、ｈ１１、ｈ１２等を頭髪測定具１を用いて、上述した図４（ａ）の場合と同様に測定することになる。
【００４５】
図６（ｂ）は、図４（ｂ）において人頭模型Ｈの頭部の頂部付近に植設された毛髪束ｈ１１を頭髪測定具１で測定する場合の一端部２ａを頭皮Ｈａへ突き当てた状態を示したものである。人頭模型Ｈの頂部付近は、上述した図６（ａ）の毛髪束ｈ３の植設された後頭部付近と異なる曲率であるが、頭髪測定具１の窪み部３は、その曲率を一般的な人体の頭部における最も小さな曲率箇所より若干小さめにしていることから、この場合でも、頭髪測定具１は、一端部２ａにおいて、両方の端部３ｂ、３ｃが頭皮Ｈａに接触する状態となる。それにより、図６（ｂ）中に示した白矢印方向（左右方向）へ頭髪測定具１が振れることなく、長さ測定を安定して行える。
【００４６】
図５は、人頭模型Ｈの上方からの視図であり、頭髪測定具１の一表面２ｅを人頭模型Ｈの上方となる向きに合わせて測定する場合を示している。この測定においても、測定対象となる毛髪束ｈ２０、ｈ２１、ｈ２２等を頭部から摘み取り、それらの毛髪束ｈ２０、ｈ２１、ｈ２２等を頭髪測定具１を用いて、上述した図４（ａ）等の場合と同様に測定を行う。この場合も、頭皮Ｈａに突き当てた頭髪測定具１の一端部２ａは、図６（ａ）（ｂ）に示すような二点接触の状態となるので、安定した長さ測定を行うことができる。なお、図４（ａ）（ｂ）、図５は長さ測定の例であり、頭部の別の箇所においても同様な測定が可能である。
【００４７】
一方、図７（ｂ）は、頭髪測定具１を用いた理美容用鋏Ｓによる毛髪束ｈ３０のカット状況を示している。毛髪束ｈ３０に対しては、上述した図４、５等に示す状況で所望のカット長さを測定し、その測定したカット長さに応じた目盛線６の箇所の溝部４に、刃部Ｓａの刃先部Ｓｂと反対側となる峰部Ｓｃを合わせる。刃部Ｓａの峰部Ｓｃを溝部４に合わせると、図３（ｃ）で説明したように、刃部Ｓａの峰部Ｓｃが溝部４に引っ掛かり係止された状態となって、刃部Ｓａの位置が規制される。それにより、カット位置も自然と、刃部Ｓａの峰部Ｓｃが収まっている溝部４に応じた目盛線６で示される箇所となり、目盛線６に基づきユーザが意図した長さで正確なカットを行える。
【００４８】
なお、本発明は、上述した実施形態の頭髪測定具１に限定されるものではなく、多数の変形例が存在する。図８（ａ）は、第１変形例の頭髪測定具１０の要部を示す平面図であり、実線の目盛線に合わせて側面１２ｃ、１２に形成した溝部１４に加えて、波線の中間目盛線にも合わせて中間溝部１９を形成したことが特徴になっている（その他の箇所は図１等の頭髪測定具１と同様）。中間溝部１９は、溝部１４と区別しやすいように、溝部１４に比べて小さい寸法で形成されている（例えば、溝幅が２ｍｍおよび溝深さが１．５ｍｍである溝部１４に比べて、中間溝部１９は溝幅を１．５ｍｍ、溝深さを１ｍｍにする）。これにより、溝部１４の他に、中間溝部１９でも図７（ｂ）で示すように、理美容用鋏Ｓの刃部Ｓａの位置決め（位置規制）を行えるようになり、第１変形例の頭髪測定具１０は、より細かい寸法単位で正確な長さでカットを行える。
【００４９】
図８（ｂ）は、第２変形例の頭髪測定具２０の要部を示す側面図であり、実線の目盛線に合わせて設けた各溝部２４を、頭髪測定具２０を構成する長尺部材の全周にわたって形成したことを特徴としている（その他の箇所は図１等の頭髪測定具１と同様）。すなわち、図８（ｂ）で示される一方の側面２２ｃの各溝部２４は、一表面２２ｅおよび他表面２２ｆにも連続しており（図８（ｂ）において一表面２２ｅおよび他表面２２ｆに「Ｖ字」状の凹部で示される箇所が溝部２４に相当）、また、図示していないが他方の側面にも溝部２４が連続している。このように溝部２４を全周にわたり連続して形成することにより、カットの際に用いる理美容用鋏の刃部を、頭髪測定具２０の全周方向における任意の箇所で溝部２４により位置決め（位置規制）することが可能となり、個々のユーザ（美容師、理容師等）がカットを行いやすい方向から作業する際、柔軟に対応して理美容用鋏のカット位置を案内できる。
【００５０】
図９（ａ）（ｂ）は、第３変形例の頭髪測定具３０の一端部３２ａおよび他端部３２ｂを示す平面図である。第３変形例の頭髪測定具３０は、図１等に示す頭髪測定具１とは異なり、一端部３２ａに窪み部を形成せずに、両方の側面３２ｃ、３２ｄに対して一端部３２ａおよび他端部３２ｂを直交した直線形状にしている。また、実線の各目盛線および波線の中間目盛線等も、一端部３２ａおよび他端部３２ｂの端面に対して平行な直線になっており、実線の各目盛線に合わせて、側面３２ｃ、３２ｄに溝部３４を形成している。
【００５１】
そして、第３変形例の頭髪測定具３０は、一端部３２ａおよび他端部３２ｂの一表面３２ｅにおいて、幅方向（Ｙ軸方向）での一定長さ単位の間隔ごとに実線の幅目盛線３１および波線の幅中間目盛線３９を示している。
【００５２】
幅目盛線３１は、一方の側面３２ｄから１０ｍｍごとの間隔で長さを示しており、各幅目盛線３１ごとに、一方の側面３２ｄからの長さ寸法を表す数値（１０、２０、３０、４０）が付されている。また、幅中間目盛線３９は、一方の側面３２ｄから最初の幅目盛線３１の中間となる箇所、および２番目以降の各幅目盛線３１の中間となる箇所に示されたものである。このように幅目盛線３１、幅中間目盛線３９を一端部３２ａおよび他端部３２ｂに設けることで、測定対象またはカット対象となる毛髪束（毛髪パネル）の幅を、幅目盛線３１および幅中間目盛線３９で確認できるようになり、測定対象またはカット対象となる毛髪束（毛髪パネル）となる量の概算を、幅という寸法で把握できる。
【００５３】
なお、幅目盛線３１および幅中間目盛線３９は、一表面３２ｅだけでなく、一端部３２ａまたは他端部３２ｂの端面に示すようにしてもよく、このように端面にまで示すと、端面側からも、掴み取った毛髪束（毛髪パネル）の幅を確認できるようになる。勿論、幅目盛線３１および幅中間目盛線３９は、一表面３２ｅの反対側の他表面にも示すようにしてもよい。また、幅目盛線３１および幅中間目盛線３９は、一端部３２ａまたは他端部３２ｂのいずれか一方側のみに設けるようにしてもよく、一端部３２ａのみに設けた場合は、毛髪の生え際となる根元側で毛髪束の幅測定を行うことができ、他端部３２ｂのみに設けた場合は、毛髪の毛先側で毛髪束の幅測定を行うことができる。
【００５４】
図９（ｃ）は、第４変形例の頭髪測定具４０の一端部４２ａを示し、この第４変形例の頭髪測定具４０は丁度、図1等に示す頭髪測定具１と図９（ａ）（ｂ）に示す第３変形例の頭髪測定具３０とを組み合わせたものになっており、一端部４２ａにおいて、幅方向（Ｙ軸方向）の一定長さ単位の間隔ごとに実線の幅目盛線４１および波線の幅中間目盛線４９を設けている（その他の箇所は図１等の頭髪測定具１と同様）。これら幅目盛線４１および幅中間目盛線４９により、湾曲形状の一端部４２aでも、測定対象またはカット対象となる毛髪束（毛髪パネル）の幅を、確認できる。
【００５５】
図１０（ａ）は、第５変形例の頭髪測定具５０の一端部５２ａを示し、この第５変形例の頭髪測定具５０は丁度、図1等に示す頭髪測定具１の一端部２ａに櫛部を設けた形態になっている。すなわち、頭髪測定具５０は、一端部５２ａに複数の櫛歯５１ａを有する櫛部５１を設けており、その他の点は、図1等に示す頭髪測定具１と同様であり、湾曲した実線の目盛線および波線の中間目盛線を設けると共に、側面５２ｃ、５２ｄに溝部５４を形成している。
【００５６】
櫛部５１は、各櫛歯５１ａの先端を、図1等に示す頭髪測定具１の窪み部３を形成した一端部２ａの端面と合うように湾曲した仮想湾曲線上に揃えている。それにより、各櫛歯５１ａの先端を、図４、５等に示すように頭部の頭皮Ｈａに突き当てても、図1等に示す頭髪測定具１と同様に、両端の櫛歯による二点接触で毛髪（毛髪束）の長さ測定を行える。各櫛歯５１ａは、頭皮Ｈａに突き当てられることから、人体の頭部に使用されることを考慮すると、先端を尖った形状にするのではなく、ある程度の丸みを帯びた形状にすることが好ましい。また、各櫛歯５１ａの歯長は、図１０（ａ）に示す例では約５ｍｍにしているが、この歯長に限定されるものではなく、約１ｍｍから約１０ｍｍ程度の数値範囲が適用可能であり、特に櫛機能（毛髪を掻き分ける機能）を確実に発揮させたい場合は、３ｍｍ以上で歯長を確保することが好ましい。
【００５７】
図１０（ｂ）は、頭髪測定具５０の使用状況を示す概略斜視図である。頭髪測定具５０は、一端部５２ａに櫛部５１を有するので、毛髪の長さ測定を行う場合に、頭皮Ｈａへ一端部５２ａを突き当てる際、一端部５２ａに設けられた櫛部５１の各櫛歯５１ａで毛髪束ｈ４０、ｈ４１を掻き分けることができる。また、掻き分けた毛髪束ｈ４０、ｈ４１を構成する個々の毛髪は、各櫛歯５１ａの間に入り込むので、各櫛歯５１ａの先端を頭皮Ｈａへ接することができる。それにより、第５変形例の頭髪測定具５０は、毛髪量が多い頭部の毛髪（毛髪束）を測定する場合でも、櫛部５１での毛髪の掻き分けにより、一端部５２ａ（櫛歯５１ａの先端）を確実に頭皮へ突き当てて毛髪長さを正確に測定できる。
【００５８】
図１１（ａ）は、第６変形例の頭髪測定具６０の一端部６２ａを示す平面図である。この第６変形例の頭髪測定具６０は主に、図1等に示す頭髪測定具１の一端部２ａの窪み部３の形状に係る変形例となっている。すなわち、頭髪測定具６０は、窪み部６３の幅方向（Ｙ方向）における両方の端部６３ｂ、６３ｃを、図1等に示す頭髪測定具１の窪み部３の端部３ｂ、３ｃのように尖った形状にするのではなく、丸めた形状（Ｒを付けた円弧形状）にしていることが特徴になっている。また、窪み部６３の曲率（曲がり具合）も、図１の窪み部３より大きくして、窪み部６３の中央部分６３ａが図１の場合に比べて、より深く凹となって窪むようにしている。
【００５９】
さらに、頭髪測定具６０は、一表面６２ｅに示す実線の目盛線６６および波線の中間目盛線６７を、図１等に示す頭髪測定具１とは異なり、直線にしている。これは、窪み部６３の湾曲の度合いが、図１等に示す頭髪測定具１より大きくなっているので、頭髪測定具１と同様にすると、各目盛線の曲がり具合も大きくなりすぎ、長さを測定しにくくなるので、これを防ぐために、目盛線６６および中間目盛線６７を直線にしている（目盛線６６および中間目盛線６７は、側面６２ｃ、６２ｄに直交する直線）。なお、頭髪測定具６０において、その他の箇所は図１等の頭髪測定具１と同様であり、側面６２ｃ、６２ｄに溝部６４を形成している。このような頭髪測定具６０の一端部６２ａを頭皮に突き当てた場合、頭皮と接触する窪み部６３の両方の端部６３ｂ、６３ｃが丸まっていることから、頭皮に対して優しい接触感が得られると共に、頭皮の曲率に合わせて端部６３ｂ、６３ｃが接触するので確実な二点接触を得られる。
【００６０】
図１１（ｂ）（ｃ）は、第７変形例の頭髪測定具７０の一端部７２ａおよび他端部７２ｂを示す平面図である。第７変形例の頭髪測定具７０は、一端部７２ａを長手方向（Ｘ軸方向）に対して斜めで且つ湾曲した形状にして、略中央部７３ａが窪むように窪み部７３を形成している。この窪み部７３は、長手方向（Ｘ軸方向）に対して約４５度に傾いた斜辺を丁度、図１等に示す頭髪測定具１の窪み部３と同等の曲率で湾曲させている。
【００６１】
第７変形例の頭髪測定具７０は、このような窪み部７３を形成することにより、頭部へ突き当てた状態で、頭髪測定具７０の姿勢を、絶対的な鉛直方向又は絶対的な水平方向に沿ったものとなり、ユーザ（美容師又は理容師等）の方向感覚にマッチした目安として使いやすくなる。すなわち、ユーザ（美容師又は理容師等）は、カット又はセット等の作業を行う際、矩形状の鏡の枠の縦線又は横線若しくはキャビネットの縦線又は横線などのように、作業を行う周囲に存在する鉛直方向を表す線又は水平方向を表す線を、無意識的に略鉛直方向又は略水平方向の目安にしている。そのため頭髪測定具７０は、頭部へ突き当てた状態の姿勢を略水平方向又は略鉛直方向にできるので、上述したユーザの周囲に存在する目安となる鉛直方向の縦線又は水平方向の横線と向きが揃うので、ユーザの方向感覚にマッチし実際的な使い勝手に有効である（図１２（ａ）（ｂ）参照）。
【００６２】
また、頭髪測定具７０の一表面７２ｅに示される実線の目盛線７６および波線の中間目盛線７７は、窪み部７３（窪み部）と同じ曲率の曲線になっている。なお、頭髪測定具７０の他端部７２ｂでは、図１１（ｃ）に示すように、目盛線７６および中間目盛線７７が斜め曲線になっている関係上、図中の上側となる側面７２ｄの側で、途切れた状態になっている。上記の箇所以外について、第７変形例の頭髪測定具７０は、、図1等に示す頭髪測定具１と同様であり、例えば、側面７２ｃ、７２ｄに溝部７４を設けている。
【００６３】
図１２（ａ）（ｂ）は、第７変形例の頭髪測定具７０を人頭模型Ｈに使用した状況を示している。なお、図１２（ａ）（ｂ）においても、図４（ａ）（ｂ）および図５と同様に、使用状況のポイントを明確にするため、頭髪全体の図示を省略しており、必要箇所のみの頭髪（毛髪）を示している（以下、図２０、２１、２３、２４でも同様）。
【００６４】
図１２（ａ）は、人頭模型Ｈの側方からの視図であり、頭髪測定具７０の一表面７２ｅ又は他表面７２ｆを人頭模型Ｈの側方となる向きに合わせて測定する場合を示す。例えば、人頭模型Ｈの後頭部の首寄り付近に植設された毛髪束ｈ５０の長さを測定する場合、頭髪測定具７０は、一表面７２ｅを人頭模型Ｈの側方と同方向に向けた状態で一端部７２ａを頭皮に突き当てることになる。ここで、人頭模型Ｈの後頭部の首寄り付近の頭皮Ｈａは、図１２（ａ）に示すように左下がりとなった斜めの下向き湾曲面であり、このような下向き湾曲面の頭皮Ｈａに、頭髪測定具７０の一端部７２ａを突き当てると、一端部７２ａの窪み部７３の形状により、頭髪測定具７０は略水平方向の姿勢となる。
【００６５】
さらに、人頭模型Ｈの頂部の後寄りの付近に植設された毛髪束ｈ５１の長さを測定する場合も、頭髪測定具７０は、一表面７２ｅを人頭模型Ｈの側方と同方向に向けた状態で一端部７２ａを頭皮Ｈａに突き当てることになる。人頭模型Ｈの頂部の後寄りの付近の頭皮Ｈａは、図１２（ａ）に示すように右下がりとなった斜めの上向き湾曲面であり、このような上向き湾曲面の頭皮Ｈａに、頭髪測定具７０の一端部７２ａを突き当てると、一端部７２ａの窪み部７３の形状により、頭髪測定具７０は略鉛直方向の姿勢となる。
【００６６】
また、人頭模型Ｈの頂部の前寄りの付近に植設された毛髪束ｈ５２の長さを測定する場合は、頭髪測定具７０は、他表面７２ｆを人頭模型Ｈの側方と同方向に向けた状態で一端部７２ａを頭皮Ｈａに突き当てることになる。人頭模型Ｈの頂部の前寄りの付近の頭皮Ｈａは、図１２（ａ）に示すように左下がりとなった斜めの上向き湾曲面であり、このような上向き湾曲面の頭皮Ｈａに、頭髪測定具７０の一端部７２ａを突き当てると、一端部７２ａの窪み部７３の形状により、頭髪測定具７０は略鉛直方向の姿勢となる。
【００６７】
一方、図１２（ｂ）は、人頭模型Ｈの前方からの視図であり、頭髪測定具７０の一表面７２ｅ又は他表面７２ｆを人頭模型Ｈの前方となる向きに合わせて測定する場合を示す。例えば、人頭模型Ｈの左側頭部の上寄り付近に植設された毛髪束ｈ５３の長さを測定する場合、頭髪測定具７０は、他表面７２ｆを人頭模型Ｈの前方へ向けた状態で一端部７２ａを頭皮Ｈａに突き当てることになる。人頭模型Ｈの一方の側頭部の上寄り付近の頭皮Ｈａは、図１２（ｂ）に示すように右下がりとなった斜めの上向き湾曲面であり、このような上向き湾曲面の頭皮Ｈａに、頭髪測定具７０の一端部７２ａを突き当てると、一端部７２ａの窪み部７３の形状により、頭髪測定具７０は略水平方向の姿勢となる。
【００６８】
また、人頭模型Ｈの頂部の左寄り付近に植設された毛髪束ｈ５４の長さを測定する場合は、頭髪測定具７０は、一表面７２ｅを人頭模型Ｈの前方へ向けた状態で一端部７２ａを頭皮Ｈａに突き当てることになる。人頭模型Ｈの頂部の左寄り付近の頭皮Ｈａは、図１２（ｂ）に示すように右下がりとなった斜めの上向き湾曲面であり、このような上向き湾曲面の頭皮Ｈａに、頭髪測定具７０の一端部７２ａを突き当てると、一端部７２ａの窪み部７３の形状により、頭髪測定具７０は略鉛直方向の姿勢となる。
【００６９】
さらに、人頭模型Ｈの頂部の右寄り付近に植設された毛髪束ｈ５５の長さを測定する場合は、頭髪測定具７０は、他表面７２ｆを人頭模型Ｈの前方へ向けた状態で一端部７２ａを頭皮Ｈａに突き当てることになる。人頭模型Ｈの頂部の右寄り付近の頭皮Ｈａは、図１２（ｂ）に示すように左下がりとなった斜めの上向き湾曲面であり、このような上向き湾曲面の頭皮Ｈａに、頭髪測定具７０の一端部７２ａを突き当てると、一端部７２ａの窪み部７３の形状により、頭髪測定具７０は略鉛直方向の姿勢となる。
【００７０】
そして、人頭模型Ｈの右側頭部の上寄り付近に植設された毛髪束ｈ５６の長さを測定する場合は、頭髪測定具７０は、一表面７２ｅを人頭模型Ｈの前方へ向けた状態で一端部７２ａを頭皮Ｈａに突き当てることになる。人頭模型Ｈの右側頭部の上寄り付近の頭皮Ｈａは、図１２（ｂ）に示すように左下がりとなった斜めの上向き湾曲面であり、このような上向き湾曲面の頭皮Ｈａに、頭髪測定具７０の一端部７２ａを突き当てると、一端部７２ａの窪み部７３の形状により、頭髪測定具７０は略水平方向の姿勢となる。
【００７１】
以上のように、第７変形例の頭髪測定具７０は、斜めの一端部７２ａにより、頭部（頭皮）への突き当て状態において、略鉛直方向又は略垂直方向に沿った姿勢にしやすいので、ユーザ（美容師又は理容師等）の方向感覚にマッチした使い方を実現できる。
【００７２】
図１３（ａ）〜（ｃ）は、第８変形例の頭髪測定具８０を示している。この頭髪測定具８０は、幅方向（Ｙ軸方向）で湾曲できるように弾性変形可能な可撓性を有する合成樹脂製の長板状の部材が形成されている。頭髪測定具８０は、板厚が１ｍｍ未満であり、図１３（ａ）に示すように、両方の側面８２ｃ、８２ｄをユーザが手で摘んだ状態で、親指と人差し指を近づけるように手に力を入れると、図１３（ｂ）に示すように、一端部８２ａの端面が、湾曲するように弾性変形する（頭髪測定具８０全体では雨樋状に弾性変形する）。また、手の力を抜くと、フラットな状態に戻る。なお、上記の箇所以外について、第８変形例の頭髪測定具８０は、、図1等に示す頭髪測定具１と同様であり、側面８２ｃ、８２ｄに溝部８４を設けている（頭皮へあてがわれる一端部８２ａに窪み部を形成）。
【００７３】
このような特性を有する頭髪測定具８０は、図１３（ｃ）に示すように、幅方向に湾曲させた状態で、長さ測定の対象となる毛髪束ｈ６０を一表面８２ｅに載せると、フラットな状態に比べて、毛髪束ｈ６０が一表面８２ｅから落ちにくくなり、安定した測定を行える。また、上述したような湾曲状態で、頭髪測定具８０の一端部８２ａを頭部の頭皮に突き当てると、一端部８２ａの端面が窪み部により湾曲していることから、湾曲に係る両端と中央の計三点で頭皮に接触することになり、フラットな状態に比べてより安定した突き当て状態を確保できるので、この点においても安定した測定を行いやすくなる。
【００７４】
なお、第８変形例の更なる変形例としては、湾曲した状態が維持されるように頭髪測定具を構成する長尺部材を合成樹脂で成形してもよく、このようにすれば、図１３（ａ）に示すように、手に力を入れなくても、湾曲状態の頭髪測定具を提供できる。また、このようにフラットな板状ではなく、湾曲状態の頭髪測定具を樹脂成形する場合は、湾曲状態（略「Ｕ字」状の状態）以外に、屈曲状態（略「Ｖ字」状に屈折して曲げた状態）にも成形できると共に、湾曲（又は屈曲）に係る深さ等も様々にした仕様のものを提供できる。
【００７５】
図１４（ａ）〜（ｃ）は、第９変形例の頭髪測定具９０を示している。頭髪測定具９０は、長手方向（Ｘ軸方向）に沿った長板状の部材を長手方向に沿って折り重ねて形成したものとなっている。具体的には折り重ねる一方の第１板状部９１と、他方の第２板状部９２とが長手方向に沿った一辺部９９（折り重ねに係る連結側の辺部）で連結されており、他方の辺部（開放側の辺部）となる各板状部９１、９２の側面９１ｃ、９２ｃの側を、一辺部９９を中心に開閉可能にしている。このような構成の頭髪測定具９０は、合成樹脂で一体的に成形されたものになっており、両部材９１、９２を連結する一辺部９９がヒンジ状の可撓性を有することにより、一辺部９９が弾性変形し、両部材９１、９２を開閉可能にしている。
【００７６】
各板状部９１、９２自体は基本的に、図１１（ｂ）（ｃ）に示すは第７変形例の頭髪測定具７０と同等の構成になっており、一端部９１ａ、９２ａに窪み部９３を形成すると共に、一表面９１ｅ、９２ｅ、他表面９１ｆ、９２ｆに実線の目盛線および波線の中間目盛線を示すと共に、一方の側面９１ｃ、９２ｃに溝部９４を形成している。
【００７７】
また、第１板状部９１と第２板状部９２とが連結される他方の側面９１ｄ、９２ｄには、細長の略筒棒状の一辺部９９が形成されており、この辺部９９にも、上述した実線の各目盛線の位置に合わせて、溝部９４が形成されている（図１４（ｂ）参照）。
【００７８】
そして、第１板状部９１と第２板状部９２が閉じた状態を維持できるように、頭髪カット補助部９０には係止機構が設けられている。この係止機構は、第１板状部９１の一端部９１ａと他端部９１ｂの両付近において、他表面９１ｆより突設した棒状の突起部９１ｇと、これらの突起部９１ｇに対向するように第２板状部９２に設けられた係止孔９２ｇにより構成されている。係止孔９２ｇの孔径と、突起部９１ｇの外径は、いわゆる機械設計における「はめあい」という分野の「中間ばめ」又は「しまりばめ」となるような寸法関係に設定されている。それにより、一端部９１ａおよび他端部９１ｂの付近にそれぞれ形成した突起部９１ｇを、一端部９２ａおよび他端部９２ｂの付近にそれぞれ形成した係止孔９２ｇへ挿入すると、突起部９１ｇは係止孔９２ｇに係止（ロック）された状態となり、第１板状部９１と第２板状部９２は折り重なって一体化された状態となる（図１４（ｂ）および図１４（ｃ）の左図参照）。
【００７９】
また、第１板状部９１と第２板状部９２が閉じた状態から、各側面９１ｃ、９２ｃが開くようにすると、突起部９１ｇが係止孔９２ｇから抜け出て、一辺部９９を回動中心にして第１板状部９１と第２板状部９２が開き、それらの幅方向の断面が「Ｖ字」状の状態になる（図１４（ｃ）参照）。
【００８０】
このような第９変形例の頭髪測定具９０は、閉じた状態又は開いた状態のいずれの状態でも、毛髪の長さ測定等に使用することができ、閉じた状態では、図１１（ｂ）（ｃ）および図１２（ａ）（ｂ）に示す第７変形例の頭髪測定具７０と同様の使い方ができる。
【００８１】
また、図１５は、開いた状態の頭髪測定具９０の一端部９１ａ、９２ａを、人頭模型Ｈの後頭部の首寄り付近となる頭皮Ｈａへ突き当てた状態を示している。この場合、頭髪測定具９０が開いているため、頭皮Ｈａへ突き当てられる一端部９１ａ、９２ａでは、湾曲斜辺部９３の側面９１ｅ、９２ｅ側となる計二つの端部と、一辺部９９の端面の計三点で頭皮Ｈａと接触することになる。そのため、突き当て状態で、頭髪測定具９０は上下左右（図１５中の白色矢印で示す向き）に振れることなく、安定した姿勢を維持でき、より安定した状態での長さ測定を行える。
【００８２】
さらに、「Ｖ字」状に開いた状態では、第１板状部９１と第２板状部９２との間に、測定対象となる毛髪又は毛髪束を納めることができるので、測定対象となる毛髪又は毛髪束の抜け落ちも防止して、安定した状態で測定することができる。なお、第９変形例の頭髪測定具９０も、一端部９１ａ、９２ａを湾曲斜辺部９３としていることから、図１２（ａ）（ｂ）に示す第７変形例の頭髪測定具７０と同様に、鉛直方向又は水平方向に向いた姿勢で、頭部へ突き当てることが可能であり、それにより、ユーザ（美容師又は理容師等）の方向感覚にマッチした使い方を実現できる。
【００８３】
図１６（ａ）（ｂ）は、第１０変形例に係る頭髪測定具１００を示している。この頭髪測定具１００は、図１１（ｂ）（ｃ）の第７変形例の頭髪測定具７０に対して、湾曲している箇所を直線的にした形態にしている。すなわち、頭髪測定具７０は、一端部１０２ａを単なる斜線直線部１０３にしており、中央部分１０３ａに窪みを形成していない（なお、斜線直線部１０３は、側面１０２ｃ、１０２ｄに対して４５度となる角度にしているが、この角度に限定されない）。
【００８４】
また、頭髪測定具１００は、一表面１０２ｅに設けた目盛線１０６及び中間目盛線１０７も、一端部１０２ａの斜線直線部１０３と平行的な直線の斜線にしている。これらの目盛線１０６及び中間目盛線１０７は一端部１０２ａから他端部１０２ｂまで一表面１０２ｅに示しているが、他端部１０２ｂは側面１０２ｃ、１０２ｄに対して直交する直線にしているので、他端部１０２ｂでは途中で途切れた状態になっている。なお、頭髪測定具１００は、一表面１０２ｅの裏側の他表面も一表面１０２ｅと同様にしており、目盛線１０６に応じた側面１０２ｃ、１０２ｄの箇所には、上述した場合と同様に、溝部１０４を形成している。
【００８５】
このような頭髪測定具１００は、目盛線１０６及び中間目盛線１０７が直線的な斜線であることから、感覚的にユーザがカットに係る長さを見極めやすくなっており、上述した第７変形例の頭髪測定具７０になじめないユーザにとっては好適な形態となる。
【００８６】
図１７〜図２１は、第１１変形例に係る頭髪測定具１１０を示しており、図１１（ｂ）（ｃ）の第７変形例の頭髪測定具７０を更に変形したものとなっており、セットしたい角度方向に沿って頭髪の長さ測定等を行う場合に好適なものである。すなわち、第１１変形例に係る頭髪測定具１１０は、図１７（ａ）（ｂ）に示すように、長尺部材１１２の一端部１１２ａを、図１７（ｃ）に示すようにＸ軸に対して４５度（図１１（ａ）（ｂ）の頭髪測定具７０を基準にすると、Ｘ軸に対して１３５度に相当）となる仮想斜線Ｋ１に沿ったものにすると共に、中央付近１１３ａで最も凹となるように湾曲させて窪ませた窪み部１１３を形成し、さらに、一方の側面１１２ｄ側の端部１１３ｂで、湾曲の向きが変わって凸となる向きに突出して湾曲する形状にしている。そのため、一端部１１２ａは、窪み部１１３の凹となる湾曲と、一方の側面１１２ｄの端部１１３ｂの凸となる湾曲を変曲点で繋ぐ曲線となっており、一方の端部１１３ｂと他方の端部１１３ｃが、直線の仮想斜線Ｋ１と接するような形状になっている。なお、頭髪測定具１１０は、図１７（ａ）に示すように、一端部１１２ａ付近の一表面１１２ｅに、一端部１１２ａに係る傾斜が４５度であることを示すマーク１１４を付している。
【００８７】
図１７（ａ）に示すように、頭髪測定具１１０は、一表面１１２ｅに、一端部１１２ａの湾曲形状と同形状の目盛線１１６及び中間目盛線１１７を示している。これら目盛線１１６及び中間目盛線１１７は、上述した実施例及び各変形例と同様に一端部１１２ａから他端部１１２ｂへと所定の間隔をあけて示されている。なお、頭髪測定具１１０は、一表面１１２ｅにおける巾方向の中間位置に、一端部１１２ａから他端部１１２ｂにかけて中心線１１９を示している。そして、頭髪測定具１１０は、一端部１１２ａからの距離を示す数値を、目盛線１１６に対して、中心線１１９の両側の箇所で付している。
【００８８】
また、図１７（ｂ）に示すように、頭髪測定具１１０は、他端部１１２ｂの形状を、一端部１１２ａと異なる傾斜角度に基づいた形状にしている。すなわち、図１８（ｃ）に示すように、頭髪測定具１１０は、他端部１１２ｂを、Ｘ軸に対して２２．５度となる仮想斜線Ｋ２に沿ったものにすると共に、中央付近１１８ａで最も凹となるように湾曲させて窪ませた窪み部１１８を形成し、他方の側面１１２ｃ側の端部１１８ｂで湾曲の向きが変わって凸となる向きに突出して湾曲する形状を形成している。このような他端部１１２ｂの形状は、一表面１１２ｅにおいて、上述した目盛線１１６及び中間目盛線１１７と湾曲線と異なる形状であることから、一表面１１２ｅにおける他端部１１２ｂの直近箇所には、目盛線１１６及び中間目盛線１１７が示されない領域が存在している。なお、図１７（ｂ）は他端部１１２ｂ付近を一表面１１２ｅから示したものであり、一方、図１８（ｃ）は他端部１１２ｂ付近を他表面１１２ｆから示したものである。
【００８９】
このように、頭髪測定具１１０は、他端部１１２ｂの形状を、窪み部１１８の凹となる湾曲と、他方の側面１１２ｃの端部１１８ｂの凸となる湾曲を変曲点で繋ぐ曲線にしており、他方の側面１１２ｃ側の端部１１８ｂと一方の側面１１２ｄ側の端部１１８ｃが、直線の仮想斜線Ｋ２と接するようになっている（図１８（ｃ）参照）。
【００９０】
また、図１８（ａ）（ｂ）に示すように、頭髪測定具１１０は、他表面１１２ｆに、他端部１１２ｂの湾曲形状と同形状の目盛線１１６′及び中間目盛線１１７′を示している。これら、目盛線１１６′及び中間目盛線１１７′は、他端部１１２ｂから一端部１１２ａへと所定の間隔をあけて示されており、他端部１１２ｂからの距離を示す数値を、目盛線１１６′に対して、中心線１１９の両側の箇所で付している。なお、頭髪測定具１１０は、図１８（ｂ）に示すように、他端部１１２ｂ付近の他表面１１２ｆに、他端部１１２ａに係る傾斜が２２．５度であることを示すマーク１１４′を付している。なお、他表面１１２ｅにおいて、上述した目盛線１１６′及び中間目盛線１１７′の湾曲線は、一端部１１２ａの形状と異なることから、図１８（ａ）に示すように、他表面１１２ｆにおける一端部１１２ａの直近箇所には、目盛線１１６′及び中間目盛線１１７′が示されない領域が存在している。
【００９１】
図１９（ａ）は、頭髪測定具１１０の一表面１１２ｅにおける一端部１１２ａと他端部１１２ｂの中間箇所に示す複数の第一角度線１１５ａ〜第三角度線１１５ｃを示す。第一角度線１１５ａは、中心線１１９に直交する向き（Ｙ軸に平行な向き）の直線であり、第二角度線１１５ｂは、中心線１１９に対して４５度傾斜した直線であり、第三角度線１１５ｃは、中心線１１９に対して第二角度線１１５ｂと反対側で４５度傾斜した直線である（第三角度線１１５ｃは、第二角度線１１５ｂと中心線１１９で線対称になっており、図１７（ｃ）に示す仮想斜線Ｋ１と平行）。これら第一角度線１１５ａ〜第三角度線１１５ｃは、一表面１１２ｅにおいて間隔をあけて計三箇所で示されており、具体的には、一端部１１２ａから約１４０ｍｍの箇所、約２４０ｍｍの箇所、約３４０ｍｍの箇所に示しており、これらの三箇所で、毛髪を取る方向を第一角度線１１５ａ〜第三角度線１１５ｃで確認できるようにしている。
【００９２】
図１９（ｂ）は、頭髪測定具１１０の他表面１１２ｆにおける一端部１１２ａと他端部１１２ｂの中間箇所に示す複数の第一角度線１１５ａ〜第七角度線１１５ｇを示す。第一角度線１１５ａ〜第三角度線１１５ｃは上述した一表面１１２ｅと同じである。また、第四角度線１１５ｄは中心線１１９に対して２２．５度傾斜した直線であり（図１８（ｃ）に示す仮想斜線Ｋ２と平行な直線）、第五角度線１１５ｅは中心線１１９に対して６７．５度傾斜した直線であり、第六角度線１１５ｆは中心線１１９に対して１１２．５度傾斜した直線であり、第七角度線１１５ｇは中心線１１９に対して１５７．５度傾斜した直線である。なお、第四角度線１１５ｄ及び第五角度線１１５ｅは、第七角度線１１５ｇ及び第六角度線１１５ｆと中心線１１９で線対称になっている。これら第一角度線１１５ａ〜第七角度線１１５ｇは、他表面１１２ｆにおいて間隔をあけて計三箇所で示されており、具体的には、他端部１１２ｂから約８０ｍｍの箇所、約１８０ｍｍの箇所、約３３０ｍｍの箇所に示しており、これらの三箇所で、毛髪を取る方向を第一角度線１１５ａ〜第七角度線１１５ｇで確認できるようにしている。
【００９３】
なお、上述した図１７（ａ）（ｂ）及び図１８（ａ）（ｂ）では図が煩雑になるのを避けるため、１ｍｍ単位の目盛線の図示を省略しており、図１７（ｃ）、図１８（ｃ）、及び図１９（ａ）（ｂ）では、各種目盛線の図示を省略している。また、第１１変形例に係る頭髪測定具１１０は、上述した図１１（ｂ）（ｃ）の第７変形例の頭髪測定具７０と異なり、理美容用鋏の峰部を位置決めする溝部を形成していないので、長尺部材１１２には厚みが１ｍｍの薄いものを用いて軽量化を図っている（勿論、第１１変形例に係る頭髪測定具１１０にも、第７変形例の頭髪測定具７０と同様に溝部を設けることも可能である）。
【００９４】
図２０（ａ）（ｂ）は、第１１変形例の頭髪測定具１１０を人頭模型Ｈに使用した状況を示している。図２０（ａ）は、人頭模型Ｈの側方からの視図であり、頭髪測定具１１０の一端部１１２ａ側を人頭模型Ｈの頭皮Ｈａに突き当てた（あてがった）状態を示している。例えば、人頭模型Ｈの後頭部の首寄り付近に植設された毛髪束ｈ６１を測定する場合、毛髪の植設の自然な向き（後ろ向き）に合うように、頭髪測定具１１０は、一表面１１２ｅを人頭模型Ｈの側方と同方向に向けた状態で一端部１１２ａを頭皮Ｈａに突き当てることになる。また、この際、一端部１１２ａには、窪み部１１３が形成されていることから、図１７（ａ）（ｃ）に示す端部１１３ｂ、１１３ｃで頭皮Ｈａと二点接触するので、突き当てた状態の頭髪測定具１１０を安定した姿勢で維持し、正確な測定を可能にする。
【００９５】
ここで、一端部１１２ａは、図１７（ｃ）の仮想斜線Ｋ１に示すように、Ｘ軸に対して４５度傾斜していることから、毛髪束ｈ６１が植設された頭皮Ｈａの曲面に対して４５度の方向で長さ測定を容易に行えるので、セットしたい方向が頭皮Ｈａの曲面に対して４５度の場合に、そのセット方向に対して正確な長さ測定を行える。この場合、頭髪測定具１１０を突き当てた頭皮箇所に対する４５度の方向は、中心線１１９に沿った方向となるので、中心線１１９を見ることで、容易に頭皮に対する４５度の角度を把握できる。また、図１９（ａ）に示す第一角度線１１５ａ〜第三角度線１１５ｃにより、４５度の傾斜した方向を基準（中心線１１９が基準線）にして、その基準（基準線の中心線１１９）に対する４５度、１３５度の角度も第２角度線１１５ｂ及び第３角度線１１５ｃで見極めることができ、様々な角度方向に対して毛髪束を取る方向を正確に測定することができる。
【００９６】
さらに、人頭模型Ｈの頂部の後寄りの付近に植設された毛髪束ｈ６２を測定する場合も、上記と同様に、頭髪測定具１１０の一端部１１２ａを頭皮Ｈａに突き当てて行うことになる。この場合も、上記と同様に、毛髪束ｈ６２が植設された頭皮Ｈａの曲面に対して４５度の方向で長さ測定を確実に行える。
【００９７】
また、人頭模型Ｈの頂部から前寄りの付近に植設された毛髪束ｈ６３、ｈ６４の長さを測定する場合、毛髪の植設の向き（前向き）に合うように、頭髪測定具１１０は、他表面１１２ｆを人頭模型Ｈの側方と同方向に向けた状態で一端部１１２ａを頭皮Ｈａに突き当てる。それにより、毛髪束ｈ６３、ｈ６４が植設された頭皮Ｈａの曲面に対して４５度の方向で長さ測定を確実に行える。なお、このような場合さらに、他表面１１２ｆに示す角度線１１５ａ〜１１５ｇで多様な角度方向を把握することができる。なお、毛髪の植設の向きとは異なり、毛髪を立て気味にセットする場合は、一表面１１２ｅを人頭模型Ｈの側方と同方向に向けた状態で一端部１１２ａを、毛髪束ｈ６３、ｈ６４の植設された頭皮Ｈａの箇所に突き当てることになる。
【００９８】
一方、図２０（ｂ）は、人頭模型Ｈの前方からの視図であり、頭髪カット後のセットの向きを考慮して、頭髪測定具１１０の一表面１１２ｅ又は他表面１１２ｆを人頭模型Ｈの前方となる向きに合わせて測定することになる。例えば、人頭模型Ｈの左の側頭部付近に植設された毛髪束ｈ７１の長さを測定する場合、下向きの頭髪に合わせて、頭髪測定具１１０は、一表面１１２ｅを人頭模型Ｈの前方に向けた状態で一端部１１２ａを頭皮に突き当てられることになる。一端部１１２ａの窪み部１１３により、頭髪測定具１１０は安定した姿勢となり、それにより、毛髪束ｈ７１の植設された頭皮箇所の曲面に対して４５度の角度で長さ測定を行える。
【００９９】
また、他の毛髪束ｈ７２、ｈ７３、ｈ７４に対しても、頭髪測定具１１０は、一表面１１２ｅ又は他表面１１２ｆを人頭模型Ｈの前方に向けた状態で一端部１１２ａを頭皮に突き当てられることになる。それにより、毛髪束ｈ７２、７２、７３がそれぞれ植設された頭皮箇所の曲面に対して４５度の角度で長さ測定を行える。なお、カット後に毛髪を立ててセットする場合は、図２０（ｂ）に示す状態とは逆となるように一表面１１２ｅ又は他表面１１２ｆを前方に向けて頭髪測定具１１０の一端部１１２ａを頭皮へ突き当てればよい（例えば、毛髪束ｈ７２を立て気味にセットする場合、他表面１１２ｆを前方に向けて頭髪測定具１１０の一端部１１２ａを頭皮へ突き当てる）。
【０１００】
なお、図２０（ａ）（ｂ）では、いずれも頭髪測定具１１０の一端部１１２ａを頭皮へ突き当てる状態を示しているが、カット後の毛髪を頭皮に沿い気味にセットするような場合は、他端部１１２ｂを頭皮へ突き当てるようにすることが好適である。この場合、他端部１１２ｂは図１８（ｃ）に示すように、２２．５度で傾斜していることから、突き当て箇所の頭皮曲面に対して２２．５度の角度で長さ測定を行える（突き当てた頭皮に対する２２．５度の方向は中心線１１９で確認できる）。
【０１０１】
図２１（ａ）（ｂ）は、人頭模型Ｈの上方からの視図であり、一端部１１２ａ又は他端部１１２ｂを頭皮Ｈａに突き当てた状態を示している。すなわち、図２１（ａ）は、頭髪測定具１１０の一端部１１２ａを頭皮Ｈａへ突き当てた状態を示し、頭髪測定具１１０は対角的な位置の毛髪束ｈ８１、８３に対して一表面１１２ｅを人頭模型Ｈの上方となる向きにしており、もう一方の対角的な位置の毛髪束ｈ８２、８４に対して他表面１１２ｆを人頭模型Ｈの上方となる向きにしている。このように頭髪測定具１１０を突き当てることで、各毛髪束ｈ８１〜ｈ８４の植設箇所に対して自然な毛髪方向となる４５度の角度で長さ測定を行える（４５度の方向は中心線１１９に沿った方向）。
【０１０２】
また、図２１（ｂ）は、頭髪測定具１１０の他端部１１２ｂを頭皮Ｈａへ突き当てた状態を示し、頭髪測定具１１０は対角的な位置の毛髪束ｈ９１、９３に対して一表面１１２ｅを人頭模型Ｈの上方となる向きにしており、もう一方の対角的な位置の毛髪束ｈ９２、９４に対して他表面１１２ｆを人頭模型Ｈの上方となる向きにしている。このように頭髪測定具１１０を突き当てることで、各毛髪束ｈ９１〜ｈ９４の植設箇所に対して２２．５度の角度で長さ測定を行える（２２．５度の方向は中心線１１９に沿った方向）。
【０１０３】
以上のことから、第１１変形例に係る頭髪測定具１１０は、一端部１１２ａと、他端部１１２ｂとの傾斜角度を相異させているので、頭皮へあてがう側を適宜切り替えることで頭皮に対して二種類の角度（例えば、４５度と、２２．５度）の長さ測定を行うことができる（図２１（ａ）の突き当て状態および図２１（ｂ）の突き当て状態を参照）。また、一表面１１２ｅと他表面１１２ｆとを適宜裏返して使用することで、頭皮に対する角度も、さらに二種類（例えば、上記の４５度に対する１３５度と、上記２２．５度に対する１５７．５度）で長さ測定を行える（図２０（ａ）（ｂ）参照）。その上、一表面１１２ｅ及び他表面１１２ｆに示される各角度線１１５ａ〜１１５ｇ、中心線１１９を参照することで、様々な角度も確認できるので、長さを測定する対象の毛髪の取る方向も多様に確認することができる。
【０１０４】
図２２（ａ）（ｂ）は、本発明の第１２変形例に係る頭髪測定具１２０を示している。頭髪測定具１２０は、図１の実施形態に係る頭髪測定具１を変形したものであり、長尺部材１１２の長手方向となる一方の側面１２２ｃの略中央部１２２ｇ（長尺部材の周縁部の一部に相当）に、窪み（補助窪み部１３１）を形成したことが特徴になっている。この補助窪み部１３１は、円弧状（扇状）に略中央部１１２ｇを切り取った形状になっており、円弧に係る曲率は、一端部１２２ａに形成した窪み部１２３と同等にしており、例えば、人体の首回りの曲率と同程度（Ｒ１００など）にすることも好適である。
【０１０５】
また、図２２（ａ）に示すように、頭髪測定具１２０は、一表面１２２ｅにおいて、補助窪み部１３１の上方に分度器マーク１２５を示すと共に、この分度器マーク１２５に合わせて複数の角度線１２５ａ〜１２５ｇ（補助角度線に相当）を示している。これらの角度線１２５ａ〜１２５ｇは、図１９（ｂ）に示す各角度線１１５ａ〜１１５ｇのそれぞれと同じ角度を表しており、各角度線１２５ａ〜１２５ｇの交点は、分度器マーク１２５の中心と一致させると共に、補助窪み部１３１の頂点とも一致させている。さらに、頭髪測定具１２０は、巾方向における中央を示す中心線１２９を一表面１２２ｅに示すと共に、一端部１２２ａに係る角度（Ｘ軸の長手方向に対する９０度の角度）マーク１２４を付している。
【０１０６】
そして、頭髪測定具１２０は、他方の端部１２２ｂを、Ｙ軸方向に沿った直線形状にしている。また、頭髪測定具１２０は一表面１２２ｅにおいて、上述した箇所以外は、上記の実施形態及び変形例と同等にしており、具体的には図９（ｃ）と同様に、幅目盛線１１４を示すと共に、図２（ａ）等と同様に湾曲した目盛線１２６を示している（中間目盛線等の各種目盛線及び距離を表す数値の図示等は、図２２（ａ）（ｂ）では省略している）。なお、一端部１２２ａからの距離を表す数値は、図２（ａ）（ｃ）に示すように付す以外に、たとえば、目盛線１２６に対して、一方の側面１２５ｃの側、及び他方の側面１２５ｄの側の両方に付すと共に、それらの各数値が中心線１２９を中心に対称となる向きに表すようにしてもよい。このような向きで数値を表すことにより、側面１２５ｃ、１２５ｄのいずれの側から見ても、いずれか一方側の数値で距離を確認できるようになる。なお、中間目盛線に関する距離を表す数値は、中心線１２９に沿って付すようにしてもよい。
【０１０７】
図２２（ｂ）は、頭髪測定具１２０の他表面１２２ｆを示している。この他表面１２２ｆも、基本的に図９（ａ）に示すように各目盛線を付しており、幅目盛線１１４′及び直線の目盛線１２６′を示している。なお、幅方向の中央箇所でＸ軸方向に延びる中心線１２９も示されており、他端部１２２ｂから距離を表す数値も、図示していないが、一表面１２２ｅと同様に目盛線１２６′等に合わして付されている。
【０１０８】
また、頭髪測定具１２０は、長手方向の略中央部１２２ｇに設けた補助窪み部１３１の円弧的な湾曲線に対して、同心円的な円弧線を所定の間隔を開けて示した分度器マーク１２５′を示しており、この分度器マーク１２５′の中心と合うように、複数の角度線１２５ａ′〜１２５ｇ′（補助角度線に相当）を波線で示している。これらの角度線１２５ａ′〜１２５ｇ′は、一表面１２２ｅに示す角度線１２５ａ〜１２５ｇと同等の角度になっている。なお、角度線１２５ａ′は、略中央部１２２ｇ付近の箇所の目盛線１２６′と一致している。
【０１０９】
さらに、頭髪測定具１２０は、他表面１２２ｆの一端部１２２ａ付近においても、補助分度器マーク１３２を示すと共に、この補助分度器マーク１３２の中心から延出する角度線１３２ｂ〜１３２ｇを示している。これらの各角度線１３２ｂ〜１３２ｇは、上述した角度線１２５ｂ〜１２５ｇと同じ角度を表している。頭髪測定具１２０は、これらの角度線１３２ｂ〜１３２ｇに基づき、一端部１２２ａでも頭髪のカット方向に係る測定を行えるようにしている。なお、第１２変形例に係る頭髪測定具１２０は、両側面に理美容用鋏の位置決めに係る溝部を省略しており、頭髪測定具１２０を構成する合成樹脂製の長尺部材１２２の厚みは約１ｍｍにしている。
【０１１０】
このような頭髪測定具１２０は、図４、５に示す場合と同様に、一端部１２２ａを頭皮各所の突き当てて、窪み部１２３の両端部１２３ｂ、１２３ｃでの二点接触で毛髪束に係る長さを安定して測定できる。また、そのような突き当て状態でも、他表面１２２ｆに示す角度線１３２ｂ〜１３２ｇ及び中心線１２９により、毛髪束に係る角度（毛髪束を取る方向）を確認でき、特に、中心線１２９で頭皮の突き当て箇所に対する直角の方向を測定することができ、また、カット・セット時等の毛髪方向を角度線１３２ｂ〜１３２ｇで考慮しながら、長さ測定も行える。
【０１１１】
また、図２３（ａ）（ｂ）、図２４（ａ）に示すように、第１２変形例に係る頭髪測定具１２０は、より安定して毛髪の角度方向を容易に測定できるようにしている。すなわち、長手方向の略中央部１２２ｇに設けた補助窪み部１３１を人頭模型Ｈの頭皮Ｈａにあてがうと、一表面１２２ｅに示す各角度線１２５ａ〜１２５ｇ、又は他表面１２２ｆに示す各角度線１２５ａ′〜１２５ｇ′に基づき頭髪のカット方向に係る測定（毛髪の角度測定）を行える。
【０１１２】
補助窪み部１３１をあてがう場合は、一端部１２２ａをあてがう場合に比べて、２２．５度又は４５度という横方向に広がる角度線１２５ｂ、１２５ｃ、１２５ｆ、１２５ｇ、１２５ｂ′、１２５ｃ′、１２５ｆ′、１２５ｇ′が、一端部１２２ａに示される同角度の角度線１３２ｂ、１３２ｃ、１３２ｆ、１３２ｇに比べて、長い線で示されていることから、長い線に基づき角度を測りやすいというメリットが生じる。さらに、突き当て方向に沿った寸法が、補助窪み部１３１をあてがう場合は頭髪測定具１２０の幅方向になることから、一端部１２２ａを突き当てる場合に比べてかなり短くなるので、頭髪カット補助部１２０に邪魔されることなく、測定対象の毛髪を掴みやすくなる。また、図２４（ａ）に示す後頭部に応じた向きの頭髪補助具１２０を、補助窪み部１３１で首の後ろ（首筋）へあてがうと、頭髪の襟足の方向（毛先の向かう方向）等を角度線１２５ａ〜１２５ｇ、１２５ａ′〜１２５ｇ′で測定できる。さらに、図２４（ａ）に示す前頭部に応じた向きの頭髪補助具１２０では、前髪を構成する各毛髪パネルの方向（毛先の向かう方向）も角度線１２５ａ〜１２５ｇ、１２５ａ′〜１２５ｇ′で測定できる。
【０１１３】
その上、補助窪み部１３１をあてがう場合は、頭皮の曲面に対して、頭髪測定具１２０が接線的な姿勢になるので、一端部１２２ａを突き当てるときの頭皮曲面から法線方向に飛び出る姿勢に比べて（図４、５等参照）、ユーザが頭髪測定具１２０を扱いやすい。
【０１１４】
そして、図２４（ｂ）に示すように、補助窪み部１３１を頭皮Ｈａへあてがうと、補助窪み部１３１の両端部１３１ａ、１３１ｂのみで二点接触することになるので、あてがった状態で、頭髪測定具１２０がフラフラすることもなく、安定した姿勢で測定を行うことができる。それにより、例えば、図２３（ａ）に示すように側方からの視図で前頭部、頂部、後頭部に補助窪み部１３１をあてがった場合、図２３（ｂ）に示す前方からの視図で左右側頭部、頂部に補助窪み部１３１をあてがった場合、図２４（ａ）に示す上方からの視図で前頭部、後頭部に補助窪み部１３１をあてがった場合などでも、頭髪測定具１２０は、安定した姿勢を維持でき、それにより正確な角度測定を実現できる。なお、図２４（ａ）は、顔の向きが分かるようにするため、前頭部にあてがった補助窪み部１３１を透過して目及び鼻等が見えるように図を描いている。
【０１１５】
なお、上述した図１等の頭髪測定具１、および第１変形例の頭髪測定具１０〜第１２変形例の頭髪測定具１２０に係る各構成は、適宜組み合わせることも可能である。例えば、図８（ａ）に示す第１変形例の頭髪測定具１０に係る中間溝部１９も、第２変形例の頭髪測定具２０〜第１２変形例の頭髪測定具１２０にも適用可能である。さらにまた、図８（ｂ）に示す第２変形例の頭髪測定具２０に係る全周にわたって形成される溝部２４も、第１変形例の頭髪測定具１０、および第３変形例の頭髪測定具３０〜第１２変形例の頭髪測定具１２０に適用可能である。そして、図１０（ａ）（ｂ）に示す第５変形例の頭髪測定具５０の櫛部５１も、第７変形例の頭髪測定具７０〜第１２変形例の頭髪測定具１２０に適用可能である。
【０１１６】
また、図１等の頭髪測定具１、第１変形例の頭髪測定具１０〜第１２変形例の頭髪測定具１２０、および上述した各種組合せの例等の全般において、目盛線および中間目盛線は、必ずしも全周にわたって示す必要はなく、必要な面のみに示すようにしてもよい。さらには、頭髪測定具を構成する長尺部材を透明にすれば、一表面のみに目盛線および中間目盛線等を設ければ、透けて他表面等からも目盛線および中間目盛線等を視認できるので好適となる。さらにまた、図１等の頭髪測定具１、第１変形例の頭髪測定具１０〜第９変形例の頭髪測定具９０、及び上述した各種組合せの例等の全般において、図７（ｂ）等に示す理美容用鋏Ｓに対する位置決め（位置規制）が不要であり、毛髪（毛髪束）の長さ測定の用途を主にする場合、上述した溝部（および中間溝部）の省略も可能である。そして、上述した各頭髪測定具１０〜１２０の長さに関する目盛線の寸法単位はｍｍ又はｃｍ系の単位以外も勿論適用可能であり、たとえば、インチ系の単位も適用できる。また、異なる単位系の寸法単位を併用することも可能であり、例えば、幅方向の中心線から一方の辺の側においては、ｍｍ系の寸法単位で目盛線及び寸法値を表し、幅方向の中心線から他方の辺の側においては、インチ系の寸法単位で目盛線及び寸法値を表してもよい。
【産業上の利用可能性】
【０１１７】
本発明は、毛髪（毛髪束）の長さ測定及び方向測定を客観的な指標に基づき正確に行うこと、および所望長さで毛髪カットを行うことに対して好適に利用可能である。
【符号の説明】
【０１１８】
１  頭髪測定具
２  長尺部材
２ａ  一端部
３  窪み部
４  溝部
６  目盛線
３１  幅目盛線
５１  櫛部
５１ａ  櫛歯
７３  湾曲斜辺部
９１  第１板状部
９２  第２板状部
９９  一辺部
Ｓ  理美容用鋏
Ｓａ  刃部
Ｈ  人頭頭部
Ｈａ  頭皮
ｈ１、ｈ２、ｈ３  毛髪束
【図１】
0005617055.tif 000002
【図２】
0005617055.tif 000003
【図３】
0005617055.tif 000004
【図４】
0005617055.tif 000005
【図５】
0005617055.tif 000006
【図６】
0005617055.tif 000007
【図７】
0005617055.tif 000008
【図８】
0005617055.tif 000009
【図９】
0005617055.tif 000010
【図１０】
0005617055.tif 000011
【図１１】
0005617055.tif 000012
【図１２】
0005617055.tif 000013
【図１３】
0005617055.tif 000014
【図１４】
0005617055.tif 000015
【図１５】
0005617055.tif 000016
【図１６】
0005617055.tif 000017
【図１７】
0005617055.tif 000018
【図１８】
0005617055.tif 000019
【図１９】
0005617055.tif 000020
【図２０】
0005617055.tif 000021
【図２１】
0005617055.tif 000022
【図２２】
0005617055.tif 000023
【図２３】
0005617055.tif 000024
【図２４】
0005617055.tif 000025